【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
親ボタン電話装置と、前記親ボタン電話装置とネットワークで接続される一つ又は複数の子ボタン電話装置とを備える複数のシステムにおけるシステムデータのコピー方法であって、
前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してのみ、システムデータ内の、漏洩を防止したい特有のデータをコピーすることを特徴とするシステムデータのコピー方法。
【請求項２】
請求項１に記載のシステムデータのコピー方法であって、
子ボタン電話装置に、当該子ボタン電話装置の属するシステムの親ボタン電話装置のＩＤをコピーする第１のコピーステップと、
親ボタン電話装置に記録媒体を接続し、前記記録媒体に親ボタン電話装置のＩＤとシステムデータとをコピーする第２のコピーステップと、
子ボタン電話装置に前記記録媒体を接続し、接続した子ボタン電話装置のＩＤが、前記第２のコピーステップにおいてコピーされた親ボタン電話装置のＩＤと一致する場合は、システムデータの全てを子ボタン電話装置にコピーし、一致しない場合はシステムデータ内の、漏洩を防止したい特有のデータ以外のデータを子ボタン電話装置にコピーする第３のコピーステップと、
を備えることを特徴とするシステムデータのコピー方法。
【請求項３】
請求項１又は２に記載のシステムデータのコピー方法であって、親ボタン電話装置が有するＩＤと子ボタン電話装置が有するＩＤが一致しない場合は、システムデータ内の、漏洩を防止したい特有のデータを前記記録媒体から消去することを特徴とするシステムデータのコピー方法。
【請求項４】
請求項１乃至３の何れか１項に記載のシステムデータのコピー方法であって、前記親ボタン電話装置が複数のＩＤを有していることを特徴とするシステムデータのコピー方法。
【請求項５】
請求項１乃至４の何れか１項に記載のシステムデータのコピー方法であって、前記親ボタン電話装置が有するＩＤは、各親ボタン電話装置固有のものであり、各親ボタン電話装置のＩＤが重複しないことを特徴とするシステムデータのコピー方法。
【請求項６】
親ボタン電話装置と、前記親ボタン電話装置とネットワークで接続される一つ又は複数の子ボタン電話装置とを備える複数のシステムにおけるシステムデータのコピーシステムであって、
前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してのみ、システムデータ内の、漏洩を防止したい特有のデータをコピーすることを特徴とするシステムデータのコピーシステム。
【請求項７】
請求項６に記載のシステムデータのコピーシステムであって、
子ボタン電話装置に、当該子ボタン電話装置の属するシステムの親ボタン電話装置のＩＤをコピーする第１のコピー手段と、
親ボタン電話装置に記録媒体を接続し、前記記録媒体に親ボタン電話装置のＩＤとシステムデータとをコピーする第２のコピー手段と、
子ボタン電話装置に前記記録媒体を接続し、接続した子ボタン電話装置のＩＤが、前記第２のコピー手段においてコピーされた親ボタン電話装置のＩＤと一致する場合は、システムデータの全てを子ボタン電話装置にコピーし、一致しない場合はシステムデータ内の、漏洩を防止したい特有のデータ以外のデータを子ボタン電話装置にコピーする第３のコピー手段と、
を備えることを特徴とするシステムデータのコピーシステム。
【請求項８】
請求項６又は７に記載のシステムデータのコピーシステムであって、親ボタン電話装置が有するＩＤと子ボタン電話装置が有するＩＤが一致しない場合は、システムデータ内の、漏洩を防止したい特有のデータを前記記録媒体から消去することを特徴とするシステムデータのコピーシステム。
【請求項９】
請求項６乃至８の何れか１項に記載のシステムデータのコピーシステムであって、前記親ボタン電話装置が複数のＩＤを有していることを特徴とするシステムデータのコピーシステム。
【請求項１０】
請求項６乃至９の何れか１項に記載のシステムデータのコピーシステムであって、前記親ボタン電話装置が有するＩＤは、各親ボタン電話装置固有のものであり、各親ボタン電話装置のＩＤが重複しないことを特徴とするシステムデータのコピーシステム。
【請求項１１】
親ボタン電話装置と、前記親ボタン電話装置とネットワークで接続される一つ又は複数の子ボタン電話装置とを備える複数のシステムにおける親ボタン電話装置であって、
接続された記録媒体に、自らが有するＩＤと、システムデータと、自らが有するＩＤと一致するＩＤを有する子ボタン電話装置に対してのみシステムデータ内の、漏洩を防止したい特有のデータをコピーするようにさせるという設定情報と、をコピーすることを特徴とする親ボタン電話装置。
【請求項１２】
請求項１１に記載の親ボタン電話装置であって、当該親ボタン電話装置が複数のＩＤを有していることを特徴とする親ボタン電話装置。
【請求項１３】
親ボタン電話装置と、前記親ボタン電話装置とネットワークで接続される一つ又は複数の子ボタン電話装置とを備える複数のシステムにおける親ボタン電話装置としてコンピュータを機能させるためのシステムデータのコピープログラムであって、
接続された記録媒体に、自らが有するＩＤと、システムデータと、自らが有するＩＤと一致するＩＤを有する子ボタン電話装置に対してのみシステムデータ内の、漏洩を防止したい特有のデータをコピーするようにさせるという設定情報と、をコピーすることを特徴とする親ボタン電話装置としてコンピュータを機能させるためのシステムデータのコピープログラム。
【請求項１４】
請求項１３に記載のシステムデータのコピープログラムであって、前記親ボタン電話装置は、複数のＩＤを有していることを特徴とするシステムデータのコピープログラム。
【手続補正２】
【補正対象書類名】明細書
【補正対象項目名】００１２
【補正方法】変更
【補正の内容】
【００１２】
本発明の第１の観点によれば、方法として親ボタン電話装置と、前記親ボタン電話装置とネットワークで接続される一つ又は複数の子ボタン電話装置とを備える複数のシステムにおけるシステムデータのコピー方法であって、前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してのみ、システムデータ内の、漏洩を防止したい特有のデータをコピーすることを特徴とするシステムデータのコピー方法が提供される。
【手続補正３】
【補正対象書類名】明細書
【補正対象項目名】００１３
【補正方法】変更
【補正の内容】
【００１３】
本発明の第２の観点によれば、システムとして親ボタン電話装置と、前記親ボタン電話装置とネットワークで接続される一つ又は複数の子ボタン電話装置とを備える複数のシステムにおけるシステムデータのコピーシステムであって、前記子ボタン電話装置のそれぞれに、自らが属するシステムの親ボタン電話装置が有するＩＤを割り振り、前記親ボタン電話装置から前記子ボタン電話装置にシステムデータをコピーする際にコピー元の親ボタン電話装置が有するＩＤと一致するＩＤが割り振られている子ボタン電話装置に対してのみ、システムデータ内の、漏洩を防止したい特有のデータをコピーすることを特徴とするシステムデータのコピーシステムが提供される。
【手続補正４】
【補正対象書類名】明細書
【補正対象項目名】００１４
【補正方法】変更
【補正の内容】
【００１４】
本発明の第３の観点によれば、装置として親ボタン電話装置と、前記親ボタン電話装置とネットワークで接続される一つ又は複数の子ボタン電話装置とを備える複数のシステムにおける親ボタン電話装置であって、接続された記録媒体に、自らが有するＩＤと、システムデータと、自らが有するＩＤと一致するＩＤを有する子ボタン電話装置に対してのみシステムデータ内の、漏洩を防止したい特有のデータをコピーするようにさせるという設定情報と、をコピーすることを特徴とする親ボタン電話装置が提供される。
【手続補正５】
【補正対象書類名】明細書
【補正対象項目名】００１５
【補正方法】変更
【補正の内容】
【００１５】
本発明の第４の観点によれば、プログラムとして親ボタン電話装置と、前記親ボタン電話装置とネットワークで接続される一つ又は複数の子ボタン電話装置とを備える複数のシステムにおける親ボタン電話装置としてコンピュータを機能させるためのシステムデータのコピープログラムであって、接続された記録媒体に、自らが有するＩＤと、システムデータと、自らが有するＩＤと一致するＩＤを有する子ボタン電話装置に対してのみシステムデータ内の、漏洩を防止したい特有のデータをコピーするようにさせるという設定情報と、をコピーすることを特徴とする親ボタン電話装置としてコンピュータを機能させるためのシステムデータのコピープログラムが提供される。
【手続補正６】
【補正対象書類名】明細書
【補正対象項目名】００３９
【補正方法】変更
【補正の内容】
【００３９】
なお、本発明の実施形態である親ボタン電話装置及び子ボタン電話装置は、ハードウェア、ソフトウェア又はこれらの組合せにより実現することができる。